(57)【要約】【課題】通水初期に電気分解されていない水が吐出され、アルカリイオン水または酸性イオン水が容器等に採水された場合においても、所望のｐＨ値となるようなアルカリイオン整水器を提供することを目的とする。【解決手段】流量検知手段５での通止水状態および操作表示部１７での水質設定状態に応じて可動弁１２に信号を送り、弁の開度を調節する可動弁調節手段１８を備える。アルカリイオン整水器本体３に通水が行われると、可動弁１２の弁開度を所定の弁開度よりも大きくし、次いで所定の弁開度に戻す可動弁調節手段１８により、通水開始直後においても、一定量採水した水のｐＨ値を所望の値にすることができる。【選択図】図１
2006122770.tif 000002
【特許請求の範囲】
【請求項１】
供給された原水を電気分解してアルカリイオン水及び酸性イオン水を生成する電解槽と、この電解槽への通電を制御する制御部と、通水量に対応した数の出力信号を発生して前記制御部に出力する流量検知手段と、水通路部に配置されて前記制御部からの信号に基づいて水通路部の断面積を変化させる可動弁を備えたアルカリイオン整水器であって、通水開始時に前記制御部が前記流量検知手段からの出力信号を検出後、前記可動弁の弁開度を所定の弁開度よりも大きくし、次いで所定の弁開度に戻す弁開度調節手段を備えたことを特徴とするアルカリイオン整水器。
【請求項２】
通水中の電気分解強度切換時において、弱い電解強度から強い電解強度に切り替えた場合には前記可動弁の弁開度を所定の弁開度よりも大きくし、次いで所定の弁開度に戻す弁開度調節手段を備えたことを特徴とする請求項１記載のアルカリイオン整水器。
【請求項３】
通水中の電気分解強度切換時において、強い電解強度から弱い電解強度に切り替えた場合には前記可動弁の弁開度を所定の弁開度よりも小さくし、次いで所定の弁開度に戻す弁開度調節手段を備えたことを特徴とする請求項１記載のアルカリイオン整水器。
【発明の詳細な説明】
【技術分野】
【０００１】
本発明は、水道水等の原水を電気分解して、飲用、医療用として利用するアルカリイオン水及び化粧水、殺菌洗浄水等として利用する酸性イオン水を製造するアルカリイオン整水器に関するものである。
【背景技術】
【０００２】
近年、連続電解方式のイオン生成器としてアルカリイオン整水器が普及している。アルカリイオン整水器は電解槽内で水道水等を電気分解して、陽極側に酸性イオン水を生成し、陰極側にアルカリイオン水を生成するものである。
【０００３】
以下、従来の連続電解方式のアルカリイオン整水器について説明する。図５は従来のアルカリイオン整水器の構成図である。図５において、１は水道水等の原水管、２は水栓、３は水栓２を介して原水管１と接続されたアルカリイオン整水器本体、４は内部に原水中の残留塩素、トリハロメタン、カビ臭等を吸着する活性炭及び一般細菌や不純物を精度よく取り除く中空糸膜等を備えた浄水部、５は通水を確認し、コントローラーに制御指示する流量検知手段、６はグリセロリン酸カルシウムや乳酸カルシウム等のカルシウムイオンを原水中に付与し原水導伝率を高めるカルシウム供給部、７は流量検知手段５を経由してきた水を電気分解してアルカリイオン水、酸性イオン水を生成する電解槽、８は電解槽７を２分し、電極室を形成する隔膜、９及び１０は隔膜８で２分されて形成された各電極室に配置された電極板、１１は電極板１０側の水（電極板１０が陽極の場合は酸性イオン水）を排出する排水管、１２は排水管１１の途中に配置されて弁の開度を変化させることにより排水量を増減または止水させる可動弁、１３は電極板９側の水（電極板９が陰極の場合はアルカリイオン水）を吐出する吐水管、１４は電源投入用プラグ、１５は電源投入用プラグ１４からの交流電源を直流電源に変換する電源部、１６はアルカリイオン整水器３の動作を制御するコントローラー、１７は利用者がイオン水の水質やｐＨ強度、各種機能の選択設定を行なう操作表示部でありコントローラー１６に接続されている。
【０００４】
次ぎに、以上のように構成された従来のアルカリイオン整水器３について、以下そのアルカリイオン水を生成する際の動作を説明する。利用者はアルカリイオン水生成モード、酸性イオン水生成モードまたは浄水モード等所望の水質モードおよびｐＨ強度を操作表示部１７の所定のボタンを押下することにより選択し、水栓２を開いて通水を行なう。水栓２から導入された原水は、浄水部４で原水中の残留塩素やトリハロメタン、カビ臭、一般細菌等の不純物が取り除かれ、流量検知手段５を経てカルシウム供給部６にてグリセロリン酸カルシウムや乳酸カルシウム等が溶解されて電気分解容易な水に処理された後、電解槽７に導入される。一方、電源投入用プラグ１４からはＡＣ１００Ｖが供給され、電源部１５内のトランス及び制御用直流電源で電気分解に必要な直流電圧電流を発生させ、コントローラー１６を介して電解槽７の電極板９及び１０に電気分解に必要な電力が給電される。このとき相対的にプラス電圧を印加する電極板を陽極、マイナス電圧を印加する電極板を陰極とすると、電解槽７内に隔膜８で仕切られた陽極室と陰極室とが形成される。
【０００５】
尚、アルカリイオン水生成モード時においては電極板１０が陽極となり、電極板９が陰極となる。また酸性イオン水生成モード時においては電極板９が陽極となり、電極板１０が陰極となる。これと同時にコントローラー１６から可動弁１２に所定の信号が送られ弁が開く方向に動作し、所定の弁開度の位置で停止する。
【０００６】
さて、通水後コントローラー１６は流量検知手段５からの出力信号を読み取り、単位時間当たりにアルカリイオン整水器本体に流れる流量レベルが一定量を越えるとこの状態を
通水中と判断する。この時、すでに選択されている水質モードおよびｐＨ強度に応じた電気分解条件のもとコントローラー１６は電解槽７に対して所定の電力を供給する。これにより、アルカリイオン水生成モード時においては電極板９が陰極かつ電極板１０が陽極となり吐水管１３よりアルカリイオ水ンが吐出されると共に排水管１１より排水を排出する。酸性イオン水生成モード時においては電極板９が陽極かつ電極板１０が陰極となり吐水管１３より酸性イオン水が吐出されると共に排水管１１より排水を排出する。また、浄水モード時においては電極板９及び１０には電力が供給されず吐水管１３より浄水が吐出されると共に排水管１１より排水を排出する。その後、単位時間当たりにアルカリイオン整水器本体３に流れる流量レベルが一定量を下回るとこの状態を止水と判断し、電解槽７への電力の供給を終了すると共にコントローラー１６から可動弁１２に所定の信号が送られ弁が閉じる方向に動作し、止水の位置で停止する。
【特許文献１】特開平７−１２４５６１号公報
【発明の開示】
【発明が解決しようとする課題】
【０００７】
従来のアルカリイオン整水器においては、通水後に吐水管１３から吐出されるアルカリイオン水または酸性イオン水のｐＨ値が所望の値になっていることが要求されている。しかしながら、通水開始後に流量検知手段５が通水を検知し、電極板９及び１０に電力が供給されるまでには所定の時間を要するため、この間に電気分解されていない水が吐出され容器等に採水された状態ではアルカリイオン水または酸性イオン水のｐＨ値が所望の値に達しない場合が生じるという問題を有していた。
【０００８】
図６は従来のアルカリイオン整水器の通水開始から一定量採水毎の水のｐＨ値変化のグラフである。図６から通水初期時においてはｐＨ値が所望の値に達していないことがわかる。
【０００９】
そこで本発明は、通水開始直後の電気分解されていない水に所望のｐＨ値以上の水を混合させることにより、一定量採水した水のｐＨ値を所望の値にすることができるアルカリイオン整水器を提供することを目的とする。
【課題を解決するための手段】
【００１０】
この課題を解決するために本発明のアルカリイオン整水器は、供給された原水を電気分解してアルカリイオン水及び酸性イオン水を生成する電解槽と、この電解槽への通電を制御する制御部と、通水量に対応した数の出力信号を発生して前記制御部に出力する流量検知手段と、水通路部に配置されて前記制御部からの信号に基づいて水通路部の断面積を変化させる可動弁を備えたアルカリイオン整水器であって、通水開始時に前記制御部が前記流量検知手段からの出力信号を検出後、前記可動弁の弁開度を所定の弁開度よりも大きくし、次いで所定の弁開度に戻す弁開度調節手段を備えた。
【発明の効果】
【００１１】
本発明は、通水開始時に流量検知手段からの出力信号を検出後、可動弁の弁開度を所定の弁開度よりも大きくし、次いで所定の弁開度に戻す弁開度調節手段を設けたことにより、通水開始直後においても、一定量採水した水のｐＨ値を所望の値にすることができ、吐水ｐＨ機能に優れたアルカリイオン整水器が得られる。
【発明を実施するための最良の形態】
【００１２】
請求項１に記載の発明は、供給された原水を電気分解してアルカリイオン水及び酸性イオン水を生成する電解槽と、この電解槽への通電を制御する制御部と、通水量に対応した数の出力信号を発生して制御部に出力する流量検知手段と、水通路部に配置されて制御部からの信号に基づいて水通路部の断面積を変化させる可動弁を備えたアルカリイオン整水
器であって、通水開始時に制御部が流量検知手段からの出力信号を検出後、可動弁の弁開度を所定の弁開度よりも大きくし、次いで所定の弁開度に戻す弁開度調節手段を備えたことを特徴とするアルカリイオン整水器であり、通水開始直後の電気分解されていない水に所望のｐＨ値以上の水を混合させることにより、一定量採水した水のｐＨ値を所望の値にすることができる。
【００１３】
請求項２に記載の発明は、通水中の電気分解強度切換時において、弱い電解強度から強い電解強度に切り替えた場合には可動弁の弁開度を所定の弁開度よりも大きくし、次いで所定の弁開度に戻す弁開度調節手段を備えたことを特徴とする請求項１記載のアルカリイオン整水器であり、通水中の電気分解強度切換直後の電解強度の弱い水に所望のｐＨ値以上の水を混合させることにより、一定量採水した水のｐＨ値を所望の値にすることができる。
【００１４】
請求項３に記載の発明は、通水中の電気分解強度切換時において、強い電解強度から弱い電解強度に切り替えた場合には可動弁の弁開度を所定の弁開度よりも小さくし、次いで所定の弁開度に戻す弁開度調節手段を備えたことを特徴とする請求項１記載のアルカリイオン整水器であり、通水中の電気分解強度切換直後の電解強度の強い水に所望のｐＨ値以下の水を混合させることにより、一定量採水した水のｐＨ値を所望の値にすることができる。
【００１５】
（実施の形態１）
図１は本発明の実施の形態１におけるアルカリイオン整水器の構成図である。図１において、従来の技術の説明で用いた符号と同一符号のものは本実施の形態１においても基本的に同一であるため、詳細な説明は従来の技術のところに譲って省略する。
【００１６】
図１において、１は水道水等の原水管、２は水栓、３はアルカリイオン整水器本体、４は浄水部、５は流量検知手段、６はカルシウム供給部、７は電解槽、８は隔膜、９及び１０は電極板、１１は排水管、１２は可動弁、１３は吐水管、１４は電源投入用プラグ、１５は電源部、１６はコントローラー、１７は操作表示部、１８はコントローラー１６の構成部分の１つであり、流量検知手段５での通止水状態および操作表示部１７での水質設定状態に応じて可動弁１２に信号を送り、弁の開度を調節する可動弁調節手段である。
【００１７】
次ぎに、以上のように構成された本発明のアルカリイオン整水器３について、以下そのアルカリイオン水を生成する際の動作を説明する。利用者はアルカリイオン水生成モード、酸性イオン水生成モードまたは浄水モード等所望の水質モードおよびｐＨ強度を操作表示部１７の所定のボタンを押下することにより選択し、水栓２を開いて通水を行なう。水栓２から導入された原水は、浄水部４で原水中の残留塩素やトリハロメタン、カビ臭、一般細菌等の不純物が取り除かれ、流量検知手段５を経てカルシウム供給部６にてグリセロリン酸カルシウムや乳酸カルシウム等が溶解されて電気分解容易な水に処理された後、電解槽７に導入される。一方、電源投入用プラグ１４からはＡＣ１００Ｖが供給され、電源部１５内のトランス及び制御用直流電源で電気分解に必要な直流電圧電流を発生させ、コントローラー１６を介して電解槽７の電極板９及び１０に電気分解に必要な電力が給電される。このとき相対的にプラス電圧を印加する電極板を陽極、マイナス電圧を印加する電極板を陰極とすると、電解槽７内に隔膜８で仕切られた陽極室と陰極室とが形成される。
【００１８】
尚、アルカリイオン水生成モード時においては電極板１０が陽極となり、電極板９が陰極となる。また酸性イオン水生成モード時においては電極板９が陽極となり、電極板１０が陰極となる。これと同時に可動弁調節手段１８から可動弁１２に所定の信号が送られ弁が開く方向に動作し、所定の弁開度の位置で静止する。
【００１９】
さて、通水後コントローラー１６は流量検知手段５からの出力信号を読み取り、単位時間当たりにアルカリイオン整水器本体に流れる流量レベルが一定量を越えるとこの状態を通水中と判断する。この時、すでに選択されている水質モードおよびｐＨ強度に応じた電気分解条件のもとコントローラー１６は電解槽７に対して所定の電力を供給する。これにより、アルカリイオン水生成モード時においては電極板９が陰極かつ電極板１０が陽極となり吐水管１３よりアルカリイオ水ンが吐出されると共に排水管１１より排水を排出する。
【００２０】
酸性イオン水生成モード時においては電極板９が陽極かつ電極板１０が陰極となり吐水管１３より酸性イオン水が吐出されると共に排水管１１より排水を排出する。この時、可動弁調節手段１８は可動弁１２に所定の弁開度となるような信号を送るが、通水の初期時においては、電極板９、１０に給電が開始される前に電気分解されていない水が吐出され、その後の所定の弁開度にて電気分解した水と混合されるため、アルカリイオン水または酸性イオン水のｐＨ値が所望の値に達しない場合が生じる。しかしながら、本実施の形態１の構成を備えていれば、通水開始直後の電気分解されていない水に所望のｐＨ値以上の水を混合させることにより、一定量採水した水のｐＨ値を所望の値にすることができる。
【００２１】
図６は従来のアルカリイオン整水器の通水開始から一定量採水毎の水のｐＨ値変化のグラフである。このグラフから通水初期時においてはｐＨ値が所望の値に達していないことがわかる。これに対し、図２は本発明の実施の形態１におけるアルカリイオン整水器の通水開始から一定量採水毎の水のｐＨ値変化をグラフにしたものである。このグラフから、通水初期時においてｐＨ値が所望の値に達していることがわかる。
【００２２】
このように本実施の形態１によれば通水開始時に流量検知手段からの出力信号を検出後、可動弁の弁開度を所定の弁開度よりも大きくし、次いで所定の弁開度に戻す可動弁調節手段１８により、通水開始直後においても、一定量採水した水のｐＨ値を所望の値にすることができる。
【００２３】
（実施の形態２）
図３は本発明の実施の形態２におけるアルカリイオン整水器の通水中に弱い電解強度から強い電解強度に切り替えた場合の一定量採水毎の水のｐＨ値変化のグラフである。このグラフから、電気分解強度切換時においてｐＨ値が所望の値に達していることがわかる。これに対し、図７は従来のアルカリイオン整水器の通水中に弱い電解強度から強い電解強度に切り替えた場合の一定量採水毎の水のｐＨ値変化のグラフである。このグラフから電気分解強度切換時においてはｐＨ値が所望の値に達していないことがわかる。
【００２４】
このように本実施の形態２によれば通水中の電気分解強度切換時において、弱い電解強度から強い電解強度に切り替えた場合には可動弁の弁開度を所定の弁開度よりも大きくし、次いで所定の弁開度に戻す可動弁調節手段１８により、通水中の電気分解強度切換時においても、一定量採水した水のｐＨ値を所望の値にすることができる。
【００２５】
（実施の形態３）
図４は本発明の実施の形態３におけるアルカリイオン整水器の通水中に強い電解強度から弱い電解強度に切り替えた場合の一定量採水毎の水のｐＨ値変化のグラフである。このグラフから、電気分解強度切換時においてｐＨ値が所望の値に達していることがわかる。これに対し、図８は従来のアルカリイオン整水器の通水中に強い電解強度から弱い電解強度に切り替えた場合の一定量採水毎の水のｐＨ値変化のグラフである。このグラフから電気分解強度切換時においてはｐＨ値が所望の値に達していないことがわかる。
【００２６】
このように本実施の形態３によれば、通水中の電気分解強度切換時において、強い電解
強度から弱い電解強度に切り替えた場合には可動弁の弁開度を所定の弁開度よりも小さくし、次いで所定の弁開度に戻す可動弁調節手段１８により、通水中の電気分解強度切換時においても、一定量採水した水のｐＨ値を所望の値にすることができる。
【産業上の利用可能性】
【００２７】
本発明にかかるアルカリイオン整水器は、通水開始時に流量検知手段からの出力信号を検出後、可動弁の弁開度を所定の弁開度よりも大きくし、次いで所定の弁開度に戻す弁開度調節手段により、通水開始直後においても、一定量採水した水のｐＨ値を所望の値にすることができる吐水ｐＨ機能を有し、水道水等の原水を電気分解して、飲用、医療用として利用するアルカリイオン水及び化粧水、殺菌洗浄水等として利用する酸性イオン水を製造するためのアルカリイオン整水器として有用である。
【図面の簡単な説明】
【００２８】
【図１】本発明の実施の形態１におけるアルカリイオン整水器の構成図
【図２】本発明の実施の形態１におけるアルカリイオン整水器の通水開始から一定量採水毎の水のｐＨ値変化のグラフ
【図３】本発明の実施の形態２におけるアルカリイオン整水器の通水中に弱い電解強度から強い電解強度に切り替えた場合の一定量採水毎の水のｐＨ値変化のグラフ
【図４】本発明の実施の形態３におけるアルカリイオン整水器の通水中に強い電解強度から弱い電解強度に切り替えた場合の一定量採水毎の水のｐＨ値変化のグラフ
【図５】従来のアルカリイオン整水器の構成図
【図６】従来のアルカリイオン整水器の通水開始からの一定量採水毎の水のｐＨ値変化のグラフ
【図７】従来のアルカリイオン整水器の通水中に弱い電解強度から強い電解強度に切り替えた場合の一定量採水毎の水のｐＨ値変化のグラフ
【図８】従来のアルカリイオン整水器の通水中に強い電解強度から弱い電解強度に切り替えた場合の一定量採水毎の水のｐＨ値変化のグラフ
【符号の説明】
【００２９】
１    原水管
２    水栓
３    アルカリイオン整水器本体
４    浄水部
５    流量検知手段
６    カルシウム供給部
７    電解槽
８    隔膜
９、１０    電極板
１１    排水管
１２    可動弁
１３    吐水管
１４    電源投入用プラグ
１５    電源部
１６    コントローラー
１７    操作表示部
１８    可動弁調節手段
【図１】
2006122770.tif 000003
【図２】
2006122770.tif 000004
【図３】
2006122770.tif 000005
【図４】
2006122770.tif 000006
【図５】
2006122770.tif 000007
【図６】
2006122770.tif 000008
【図７】
2006122770.tif 000009
【図８】
2006122770.tif 000010